(57)【要約】【課題】通話中であっても簡単に小型筐体の表示部を見ることができるようにすると共に、通話の相手側が話した会話を聞き逃さないようにすることができる携帯端末装置を提供する。【解決手段】一方の面２２に操作キー６ｄが設けられると共にこれと反対側の他方の面２４に表示部４ｂが設けられた小型筐体８と、スピーカー１２を有する本体部１０とを備える携帯端末装置２０であって、小型筐体８は、一方の面２２を本体部１０のスピーカー１２が配置される面とほぼ同じ方向に向けるようにして、他方の面２４を本体部１０に当接させることができると共に、この状態から他方の面２４が本体部１０と離れる方向に回動自在となるようにして本体部１０と連結するようにした。【選択図】      図３
2004274577.tif 000002
【特許請求の範囲】
【請求項１】
一方の面に操作キーが設けられると共にこれと反対側の他方の面に表示部が設けられた小型筐体と、スピーカーを有する本体部とを備える携帯端末装置であって、
前記小型筐体は、前記一方の面を前記本体部の前記スピーカーが配置される面とほぼ同じ方向に向けるようにして、前記他方の面を本体部に当接させることができると共に、この状態から他方の面が本体部と離れる方向に回動自在となるようにして本体部と連結するようにしたことを特徴とする携帯端末装置。
【請求項２】
前記小型筐体が、前記他方の面を前記本体部に当接させた状態から分離可能となるようにした請求項１に記載の携帯端末装置。
【請求項３】
前記小型筐体は、その一端部に軸線方向が前記一方の面と平行であって、この軸線方向と直角方向の断面の外周の一部に平面部の形成される回転軸が設けられるようにされると共に、
前記本体部は、軸線方向が前記スピーカーの配置される面と平行となるようにして前記回転軸に対応する軸受け部が形成されると共に、一方側がこの軸受け部の内部に連通し他方側が外部に開放される一定幅の溝部がこの軸受け部の軸線方向と平行に形成されて、
前記回転軸が前記軸受け部に嵌合すると共に、この軸線方向と直角方向の断面にて前記平面部が前記溝部の長さ方向と平行となる角度になるまで小型筐体を回動させたときに、回転軸が軸受け部との嵌合から離脱されて、前記小型筐体を前記本体部から分離することができるようにしたことを特徴とする請求項１に記載の携帯端末装置。
【請求項４】
前記本体部は、軸線方向が前記スピーカーの配置される面と平行であって、この軸線方向と直角方向の断面の外周の一部に平面部が形成された回転軸が設けられるようにされると共に、
前記小型筐体は、その一端部に軸線方向が前記一方の面と平行となるようにして前記回転軸に対応する軸受け部が形成されると共に、一方側がこの軸受け部の内部に連通し他方側が外部に開放される一定幅の溝部が軸受け部の軸線方向と平行に形成されて、
前記回転軸が前記軸受け部に嵌合すると共に、この軸線方向と直角方向の断面にて前記溝部の長さ方向が前記平面部と平行となる角度になるまで小型筐体を回動させたときに、回転軸が軸受け部との嵌合から離脱されて、前記小型筐体を前記本体部から分離することができるようにしたことを特徴とする請求項１に記載の携帯端末装置。
【請求項５】
前記小型筐体は、前記一方の面と前記他方の面に挟まれて互いに平行である両側の側面のそれぞれに、軸線方向が前記一方の面と平行であって、この軸線方向と直角方向の断面の外周の一部に平面部の形成される回転軸が設けられるようにされ、
前記本体部は前記小型筐体を収納する収納部を有すると共に、この収納部の対向する一対の内側の側壁のそれぞれに、軸線方向が前記スピーカーの配置される面と平行となるようにして前記回転軸に対応する軸受け部が形成されると共に、一方側がこの軸受け部の内部に連通し他方側が外部に開放される一定幅の溝部がこの軸受け部の軸線方向と平行に形成されて、
前記小型筐体は、前記回転軸が前記軸受け部に嵌合されると共に、前記一方の面を露出させて前記収納部に収納されることができ、回転軸の前記平面部が軸線方向と直角方向の断面にて前記溝部の長さ方向と平行となる角度になるまで小型筐体を回動させたときに回転軸が軸受け部との嵌合から離脱されて外部に取り出せるようにしたことを特徴とする請求項１に記載の携帯端末装置。
【請求項６】
前記小型筐体が、本体部に設けられた回動自在の連結部材に着脱可能に連結されるようにしたことを特徴とする請求項１に記載の携帯端末装置。
【請求項７】
前記本体部が、前記小型筐体の一方の面を露出させて収納する収納部を有することを特徴とする請求項６に記載の携帯端末装置。
【発明の詳細な説明】
【０００１】
【発明の属する技術分野】
本発明は、通話中において、スピーカーを耳元から離さずに、本体部から分離可能な小型筐体の表示部に表示される情報を確認するようにして、スピーカーを耳元から離すことにより相手側の会話を聞き逃すことがないようにした携帯端末装置に関するものである。
【０００２】
【従来の技術】
従来において、例えば携帯端末装置としての携帯電話機は、通話のためのスピーカー、マイクロホン、及び電話番号等を入力するためのテンキー等の操作部を備えると共に、様々な情報を表示することができるように、ＬＣＤ（液晶ディスプレイ）等の表示部が備えられているものが多い。
【０００３】
携帯電話機が１つの筐体で構成されている場合、又は２つの筐体で構成されている場合のいずれにおいても、ＬＣＤ等の表示部は、スピーカーとマイクロホンの中間部に配置されるようになっているため、ユーザーは通話中にこの表示部を見ることができない。
【０００４】
そのため、通話中においても表示部を見ることができるようにするため、本体部に着脱可能に設けられる小型筐体に、表示部及び操作部を配置するようにして、本体部により通話を継続することができると共に、その通話中に小型筐体を取り外して表示部を見ることができるようにした携帯電話機がある（例えば、特許文献１参照）。
【０００５】
このような携帯電話機の一例として、図１１に示すような携帯電話機２がある。この携帯電話機２は、その表示部４と操作部６が、小型筐体８の同一面に配置されるようになっている。そして、本体部１０には、スピーカー１２とマイクロホン１４の中間位置に、浅い凹部１６が形成されており、この凹部１６に小型筐体８を着脱可能に収納するようになっている。
【０００６】
【特許文献１】
特開平６−２７６２６５号公報
【０００７】
【発明が解決しようとする課題】
しかしながら、このように小型筐体８に表示部４を配置した携帯電話機２において、本体部１０の凹部１６から小型筐体８を取り外したい場合には、一方の手で本体部１０を保持すると共に、他方の手で本体部１０の凹部１６に収納されている小型筐体８を確実に保持しながら取り外すようにしないと、本体部１０から小型筐体８を落下させてそれを破損させるおそれがある。
【０００８】
したがって、通話中に、携帯電話機２の本体部１０から小型筐体８を取外して、表示部４を見るためには、一度、携帯電話機２を耳元から離す必要があると共に、小型筐体８の取り外しの一連の動作は視覚的に確認しながら行なう必要がある。そのため、このような取外しの動作に手間取っている間に、通話の相手側が話した会話を聞き逃すことがあり、また、このような場合には相手側に不快感を与えてしまうという問題があった。
【０００９】
また、通話の相手側の話した会話を聞き逃さないようにするため、携帯電話機２の本体部１０を耳元から離さずに、小型筐体８を取り外そうとする場合には、小型筐体８を本体部１０の凹部１６から取外す方向がユーザーの顔面方向になることから、携帯電話機２の本体部１０を保持している手と反対側の手を、携帯電話機２とユーザー自身の顔面の間に差し入れなければならない。そのため、口元とマイクロホン１４の間を反対側の手で覆うことになってしまうという問題があった。
【００１０】
そこで本発明は、上記問題点に鑑みて、通話中であっても簡単に小型筐体の表示部を見ることができるようにすると共に、通話の相手側が話した会話を聞き逃さないようにすることができる携帯端末装置を提供することを課題とするものである。
【００１１】
【課題を解決するための手段】
上記課題を解決するために本発明は、
一方の面に操作キーが設けられると共にこれと反対側の他方の面に表示部が設けられた小型筐体と、スピーカーを有する本体部とを備える携帯端末装置であって、
前記小型筐体は、前記一方の面を前記本体部の前記スピーカーが配置される面とほぼ同じ方向に向けるようにして、前記他方の面を本体部に当接させることができると共に、この状態から他方の面が本体部と離れる方向に回動自在となるようにして本体部と連結していることを特徴とするものである。
【００１２】
このような携帯端末装置によれば、スピーカーを耳元から離す必要はないので通話の相手側の会話を聞き逃すことがなく、小型筐体を回動させることにより、この小型筐体の面に設けられた表示部に表示された情報をユーザーの視野の範囲内に入れることができる。
【００１３】
また、この状態から、小型筐体を本体部の収納部から取り出して分離することにより、この小型筐体の面に設けられた表示部をユーザーの見やすい位置に移動させることができると共に、このような動作を行なっているときでも、スピーカーが耳元から離れることはないので、相手側の話した会話を聞き逃すことがない。
【００１４】
【発明の実施の形態】
以下、本発明の実施の形態について、図面に基づいて具体的に説明する。
図１ないし図５は、本発明の携帯端末装置の第１の実施の形態に係る、携帯電話機２０について説明するために参照する図である。これらの図に示す携帯電話機２０は、前記従来の携帯電話機２と同様の部分には同じ符号を付して説明し、従来と同様の構成についての重複する説明は省略するものとする。
【００１５】
図１に示すように、携帯電話機２０の本体部１０には、その上端部にスピーカー１２、下端部にマイクロホン１４が設けられており、これらの中間部には、第１表示部４ａ、十字キー６ａやフックオフキー６ｂ及びフックオンキー６ｃが設けられている。そして、フックオフキー６ｂ及びフックオンキー６ｃと、マイクロホン１４との間には、凹部１６（収納部）が形成されており、この凹部１６内に小型筐体８が収納される。
【００１６】
小型筐体８は、その一方の平面部２２に操作部のテンキー６ｄ（操作キー）が設けられており、このテンキー６ｄが外側に露出するようにして凹部１６に収納される。また、図２に示すように、テンキー６ｄが設けられている一方の平面部２２と反対側の、他方の平面部２４には、ＬＣＤ等の第２表示部４ｂ（表示部）及び電気回路のコネクタ２６が設けられている（図３参照）。
【００１７】
また、図２に示すように、この小型筐体８には、一方の平面部２２と他方の平面部２４に挟まれる両側の側面２８，３０に、回転軸３２，３４が固定して設けられている。この回転軸３２，３４は、図４に示すように、外周の一部に平面部３６が形成されるようになっており、小型筐体８は、この回転軸３２，３４を中心にして、凹部１６に収納された状態から立上がるように、回動させることができるようになっている。
【００１８】
図３に示すように、本体部１０の凹部１６における、本体部１０の長さ方向と平行な一対の内側の側壁３８，４０のそれぞれには、マイクロホン１４側の端部であって、その深さ方向の略中央の位置に、小型筐体８の回転軸３２，３４に対応する軸受け部４２，４４が形成されている。また、それぞれの側壁３８，４０には、小型筐体８の回転軸３２，３４の軸径よりも若干狭くした幅を有する溝部４６，４８が形成されて、それら各々の一方側は軸受け部４２，４４の内部に連通し、他方側は外部に開放されるようになっている。
【００１９】
また、凹部１６の側壁３８と側壁４０に挟まれる、マイクロホン１４側の側壁は傾斜面５０になっていて、図４に示すように、小型筐体８を凹部１６に収納した状態から、図５に示すように、これを立上げてからさらに傾斜面５０に当接するまで回動させることができるようになっている。このような状態にされたときに、集音性能が低下しないように、マイクロホン１４は小型筐体８に覆われないような位置に配置されるようになっている（図３参照）。
【００２０】
図４に示すように、小型筐体８が凹部１６に収納された状態では、回転軸３２，３４はその軸径が、溝部４６，４８の幅よりも大きいために通過させることができない。しかし、図５に示すように、小型筐体８が傾斜面５０に当接した状態では、回転軸３２，３４の外周の一部に形成された平面部３６が溝部４６，４８と平行になり、その分だけ軸径が小さくなる向きとなるので、回転軸３２，３４は溝部４６，４８を通過することができ、小型筐体８を本体部１０の凹部１６から取り外すことができるようになっている。
【００２１】
また、図３に示すように、本体部１０の両側の側面５２，５４と凹部１６の内側の側壁３８，４０の間の肉厚部分には、略半円状の切欠き部５６，５８が形成されていて、凹部１６に収納された小型筐体８の、回転軸３２，３４が設けられている側の端部と反対側の端部の側面に、切欠き部５６，５８から容易に２本の指先を当接させて挟み、それから回動させることができるようになっている。
【００２２】
また、凹部１６の底面６０には、小型筐体８側のコネクタ２６に対応する電気回路のコネクタ６２が設けられており、小型筐体８が収納されているときには、小型筐体８側のコネクタ２６と本体部１０側のコネクタ６２が連結して、小型筐体８のテンキー６ｄと本体部１０との間でデータの送受信ができるようになっている。
【００２３】
また、小型筐体８を回動させたり取り外すことにより、小型筐体８のコネクタ２６と本体部１０側のコネクタ６２が外れている場合に、小型筐体８の第２表示部４ｂ（図２参照）に表示させる情報について、本体部１０から小型筐体８に無線による送信ができるように、本体部１０には送信部が内蔵されており、小型筐体には受信部が内蔵されている。これら送信部及び受信部は、小型筐体８のコネクタ２６と本体部１０側のコネクタ６２が外れたときに動作を始める。
【００２４】
小型筐体８のコネクタ２６が本体部１０側のコネクタ６２から外れると、小型筐体８の第２表示部４ｂには、本体部１０から情報が無線により送信されて、通話時間、本体部１０の電池残量、電波強度等を表示させることができるようになっている。また、図示しないが、小型筐体８の電池残量等をも表示させるようになっていてもよい。
【００２５】
次に、図１に示すように、この携帯電話機２０の本体部１０に小型筐体８が収納された状態で、通話をしているときに、小型筐体８の第２表示部４ｂに表示される内容を見たい場合の操作について説明する。
【００２６】
この場合には、ユーザーは、携帯電話機２０のスピーカー１２側の端部を耳に当てたまま、マイクロホン１４側の端部を口元から若干離すようにする。このとき、スピーカー１２は、耳元からは離す必要がないので、相手側の話を聞き逃すことはない。
【００２７】
そして、携帯電話機２０の本体部１０を保持している手と反対の手の２本の指先を、本体部１０の切欠き部５６，５８の位置で小型筐体８の側面２８，３０（図２参照）に当接させて挟み、そのまま回転軸３２，３４を中心にして、小型筐体８が凹部１６の傾斜面５０に当接するまで回動させる（図４及び図５参照）。このとき、ユーザーは、小型筐体８を回動させる動作を行なう手によって、マイクロホン１４を覆ってしまうようなことはない。
【００２８】
このように小型筐体８を簡単に回動させて、小型筐体８の第２表示部４ｂをユーザーの視野に入れることができるので、ユーザーは、第２表示部４ｂに表示される情報を、通話を中断せずに確認することができる。
【００２９】
さらに、小型筐体８が本体部１０から分離されていない状態のままでは、第２表示部４ｂに表示される内容を確認しにくいときには、図３に示すように、小型筐体８の回転軸３２，３４を本体部１０の軸受け部４２，４４から溝部４６，４８の方向に引出して取り外すようにする。
【００３０】
このように、小型筐体８を本体部１０から取り外すことにより、ユーザーは、通話を中断せずに、第２表示部４ｂの表示内容を確認しやすい位置に移動させることができる。
【００３１】
このような携帯電話機２０によれば、スピーカー１２を耳元から離す必要はないので通話の相手側の会話を聞き逃すことがなく、小型筐体８を回動させることにより、この小型筐体８の第２表示部４ｂに表示された情報をユーザーの視野の範囲内に入れることができる。
【００３２】
また、この状態から、小型筐体８を本体部１０の凹部１６から取り出して分離することにより、この小型筐体８の第２表示部４ｂを、ユーザーの見やすい位置に移動させることができると共に、このような動作を行なっているときでも、スピーカー１２は耳元から離れることはないので、相手側の話した会話を聞き逃すことはない。
【００３３】
なお、本実施の形態では、小型筐体８側に回転軸３２，３４を設けて、本体部１０側に軸受け部４２，４４を形成するようにしたが、小型筐体８側に軸受け部を形成し、本体部１０側に回転軸を設けるようにしてもよい。
【００３４】
また、本実施の形態では、小型筐体８が、傾斜面５０に当接した状態のときに（図５参照）、小型筐体８を本体部１０の凹部１６から取り外すことができるようにしたが、回転軸３２，３４の外周の一部に形成される平面部３６の角度を調整して形成することにより、任意の角度で、小型筐体８を本体部１０の凹部１６から取り外すことができるようになる。
【００３５】
例えば、小型筐体８が本体部１０の凹部１６に収納されて、小型筐体８の平面部２４が底面６０に当接した状態から取り外すことができるようになっていてもよい。
【００３６】
次に、本発明の携帯端末装置の第２の実施の形態に係る携帯電話機７０について、図６ないし図９に基づいて説明する。これらの図に示す携帯電話機７０は、前記第１の実施の形態に係る携帯電話機２０と同様の構成部分には同じ符号を付して説明し、重複する構成や動作の説明は省略するものとする。
【００３７】
本実施の形態における小型筐体８は、図６に示すように、一方の平面部２２にテンキー６ｄが設けられるようになっており、また、図７に示すように、一方の平面部２２と反対側の他方の平面部２４に第２表示部４ｂが設けられるようになっている。そして、一方の平面部２２と他方の平面部２４に挟まれる一方の端面に連結部７２が設けられている。
【００３８】
図８及び図９に示すように、本体部１０の凹部１６の底面６０のマイクロホン１４側の端部には、ヒンジ構造により回動自在になっている回動連結部材７４（連結部材）が設けられている。小型筐体８の連結部７２は、この本体部１０の回動連結部材７４に対してその長さ方向に着脱可能となっており、この着脱可能な連結部７２と回動連結部材７４は、電気回路のコネクタとしての役割も兼ねている。
【００３９】
小型筐体８は、その連結部７２が本体部１０側の回動連結部材７４に連結されて、凹部１６に収納されたままの状態では、図６に示すように、本体部１０から取り外すことができないようになっている。そして、小型筐体８における連結部７２と反対側の端部が、凹部１６の深さ方向から外側へ離脱するまで回動させると、不図示の検出部がこれを検出して、第２表示部４ｂ（図７参照）に通話時間、本体部１０の電池残量、電波強度等を表示させるようになっている。また、図示しないが、小型筐体８の電池残量等をも表示させるようになっていてもよい。
【００４０】
また、小型筐体８における連結部７２と反対側の端部が、凹部１６の深さ方向から外側へ離脱するまで回動した状態から、小型筐体８を傾斜面５０に当接させるまでの回動可能な角度θの範囲内の任意の角度で（図９参照）、小型筐体８をその長さ方向に引抜いて回動連結部材７４から取り外すことができる。
【００４１】
このような携帯電話機７０によれば、スピーカー１２が耳元から離れることはないので通話の相手側の会話を聞き逃すことがなく、小型筐体８を回動させることにより、この小型筐体８の第２表示部４ｂに表示された情報を、ユーザーの視野の範囲内に入れることができる。
【００４２】
また、この状態から、小型筐体８を本体部１０の回動連結部材７４から分離することにより、この小型筐体８の第２表示部４ｂを、ユーザーの見やすい位置に移動させることができると共に、このような動作を行なっているときでも、スピーカー１２が耳元から離れることはないので、相手側の話した会話を聞き逃すことはない。
【００４３】
なお、本実施の形態とは別の実施の形態として、図示しないが、例えば小型筐体８は、コネクタ７２に代えて、その側面２８，３０（図７参照）に、その長さ方向と平行となるようにして、各々が電気回路の導通接点を兼ねる複数の溝型レールが設けられるようにしてもよい。この場合には、本体部１０には、回動連結部材７４に代えて（図６参照）、小型筐体８の溝型レールに対応する導通接点を兼ねたガイド部を有するような略コ字型の形状の回動連結部材を備えるようにする。小型筐体８は、この略コ字型の回動連結部材の内側に収納されるように連結して、回動させることができるようになる。
【００４４】
次に、本発明の携帯端末装置の第３の実施の形態に係る携帯電話機８０について、図１０に基づいて説明する。この図１０に示す携帯電話機８０は、前記第１の実施の形態に係る携帯電話機２０と同様の構成部分には同じ符号を付して説明し、重複する構成や動作の説明は省略するものとする。
【００４５】
本実施の形態に係る携帯電話機８０は、前記第１の実施の形態に係る携帯電話機２０のように、小型筐体８を収納する凹部１６がなく、小型筐体８は、本体部１０に配置されるテンキー６ｄの部分を、保護するためのカバーとして形成されている。本発明の小型筐体には、このようなカバー形状のものも含まれるものとする。また、この場合には、小型筐体の一方の面２２には、テンキーと異なる簡易な操作のための簡易キー６ｅ（操作キー）を設けるようにしてもよい。また、図示されていないが、小型筐体８の一方の面２２と反対側の、他方の面２４に、前記第１の実施の形態と同様の第２表示部４ｂが設けられていることはいうまでもない。
【００４６】
本実施の形態に係る携帯電話機８０は、前記第１の実施の形態に係る携帯電話機２０と異なり、小型筐体８は、その一端部に、その軸線方向の中央で分断されるように形成された軸受け部４２，４４を有し、これに対応するようにして本体部１０のマイクロホン１４側の端部に、２つの固定された回転軸３２，３４が同軸状に設けられるようになっている。このような構造であっても、前記第１の実施の形態に係る携帯電話機２０と同様に、小型筐体８を本体部１０に対して回動させることができると共に、分離させることができる。
【００４７】
このような携帯電話機８０によれば、スピーカー１２を耳元から離す必要はないので通話の相手側の会話を聞き逃すことがなく、小型筐体８を回動させることにより、この小型筐体８の第２表示部４ｂに表示された情報をユーザーの視野の範囲内に入れることができる。
【００４８】
また、この状態から、小型筐体８を本体部１０から取り出して分離することにより、この小型筐体８の第２表示部４ｂを、ユーザーの見やすい位置に移動させることができると共に、このような動作を行なっているときでも、スピーカー１２は耳元から離れることはないので、相手側の話した会話を聞き逃すことはない。
【００４９】
なお、本実施の形態では、小型筐体８に軸受け部４２，４４が形成され、本体部１０に回転軸３２，３４を設けたが、本実施の形態とは別の実施の形態として、小型筐体８側に回転軸を設けて、本体部１０に軸受け部を形成するようにしてもよい。
【００５０】
また、本実施の形態では、小型筐体８の平面部２４が、本体部１０のテンキー６ｄの配置されている面に当接した状態から一定の角度だけ回動したときに、小型筐体８を本体部１０から取り外すことができるようになっているが、回転軸３２，３４の外周の一部に形成される平面部３６の角度を調整して形成することにより、任意の角度で、小型筐体８を本体部１０の凹部１６から取り外すことができるようになる。
【００５１】
例えば、小型筐体８の平面部２４が、本体部１０のテンキー６ｄの配置されている面に当接した状態で、この小型筐体８を本体部１０から取り外すことができるようになっていてもよい。
【００５２】
また、前記第１ないし第３の実施の形態においては、小型筐体８を回動させたとき又は取り外したときには、第２表示部４ｂに表示する情報を、本体部１０から小型筐体８に無線により送信するようにしたが、赤外線により送信するようにしてもよい。
【００５３】
また、小型筐体８に本体部１０に送信するための送信部を内蔵させると共に、本体部にこれを受信するための受信部を内蔵させて、テンキー６ｄによる操作がされた場合に、小型筐体８から本体部１０に、この操作による信号を送信させるようにしてもよい。
【００５４】
また、前記第１及び第３の実施の形態においては、小型筐体８のコネクタ２６が本体部１０側のコネクタ６２に接続しているときに、小型筐体８に内蔵されている電池が充電されることが好ましい。同様に、前記第２の実施の形態においても、小型筐体８の連結部７２が、本体部１０の回動連結部７４に連結しているときに、小型筐体８に内蔵されている電池が充電されることが好ましい。
【００５５】
また、前記第１及び第３の実施の形態においては、小型筐体８（本体部１０）及び本体部１０（小型筐体８）に設けられる、回転軸３２，３４及びこれに対応する軸受け部４２，４４が同軸状に２つづつ設けられるようにしたが、これらは、同軸状に配置される限り、その個数が３つ以上であっても、または単数であっても、同様の動作をさせることができるので、特にその個数を制限しなくとも、同様の技術的思想であることはいうまでもない。
【００５６】
また、前記第１ないし第３の実施の形態においては、１つの筐体で構成される携帯電話機２０，７０，８０について説明したが、２つ又はそれ以上の数の筐体により構成される携帯電話機について本発明を適用するようにしてもよい。
【００５７】
例えば、本発明は、表示部を有する筐体と操作部を有する別の筐体がヒンジを介し折り畳み自在に連結して構成されるような折り畳み型携帯電話機や、表示部を有する筐体と操作部を有する筐体がボールジョイント等を介して連結されることにより、折り畳み動作と共に捻り動作も可能となるように構成されて、常に表示面が外側を向くようにすることができる折り畳み型携帯電話機にも適用することができる。
【００５８】
或いは、一方の筐体に設けられた表示部と他方の筐体に設けられた操作部が同じ方向を向くようにして重ねられた状態で、これら２つの筐体を貫く方向に設けられた軸により互いの端部が連結されて、扇子のように開閉動作をすることができるように構成された重ね型携帯電話機にも適用することができる。
【００５９】
また、本発明は、携帯電話機のみならず、ＰＤＡ（Ｐｅｒｓｏｎａｌ  Ｄｉｇｉｔａｌ  Ａｓｓｉｓｔａｎｔ）等のような他の種類の携帯端末装置であっても、同様の技術的思想に基づいて、適用することができる。
【００６０】
【発明の効果】
以上説明したように、本発明の携帯端末装置によれば、スピーカーを耳元から離す必要はないので通話の相手側の会話を聞き逃すことがなく、小型筐体を回動させることにより、この小型筐体の面に設けられた表示部に表示された情報をユーザーの視野の範囲内に入れることができる。
【００６１】
また、この状態から、小型筐体を本体部の収納部から取り出して分離することにより、この小型筐体の面に設けられた表示部をユーザーの見やすい位置に移動させることができると共に、このような動作を行なっているときでも、スピーカーが耳元から離れることはないので、相手側の話した会話を聞き逃すことがない。
【図面の簡単な説明】
【図１】本発明の第１の実施の形態に係る携帯電話機２０を示す斜視図である。
【図２】図１における小型筐体８の背面図である。
【図３】図１における本体部１０から、小型筐体８を分離した状態を示す斜視図である。
【図４】図１における小型筐体８が回動したときの回転軸３２の状態を示す拡大側面図である。
【図５】図４における小型筐体８が回動したときのその小型筐体８と回転軸３２の状態を示す拡大側面図である。
【図６】本発明の第２の実施の形態に係る携帯電話機７０を示す斜視図である。
【図７】図６における小型筐体８の背面図である。
【図８】図６における小型筐体８とその連結部７２及び本体部１０の回動連結部材７４の状態を示す拡大側面図である。
【図９】図８における小型筐体８が回動してその連結部７２が本体部１０の回動連結部材７４から分離した状態を示す拡大側面図である。
【図１０】本発明の第３の実施の形態に係る携帯電話機８０を示す斜視図である。
【図１１】従来の携帯電話機２を示す斜視図である。
【符号の説明】
２  携帯電話機
４  表示部
４ａ  第１表示部
４ｂ  第２表示部
６  操作部
６ａ  十字キー
６ｂ  フックオフキー
６ｃ  フックオンキー
６ｄ  テンキー
６ｅ  簡易キー
８  小型筐体
１０  本体部
１２  スピーカー
１４  マイクロホン
１６  凹部
２０  携帯電話機
２２，２４  平面部
２６  コネクタ
２８，３０  側面
３２，３４  回転軸
３６  平面部
３８，４０  側壁
４２，４４  軸受け部
４６，４８  溝部
５０  傾斜面
５２，５４  側面
５６，５８  切欠き部
６０  底面
６２  コネクタ
７０  携帯電話機
７２  連結部
７４  回動連結部材
８０  携帯電話機
【図１】
2004274577.tif 000003
【図２】
2004274577.tif 000004
【図３】
2004274577.tif 000005
【図４】
2004274577.tif 000006
【図５】
2004274577.tif 000007
【図６】
2004274577.tif 000008
【図７】
2004274577.tif 000009
【図８】
2004274577.tif 000010
【図９】
2004274577.tif 000011
【図１０】
2004274577.tif 000012
【図１１】
2004274577.tif 000013